(57)【要約】【課題】  複数の画像データが格納された１つの画像ファイルを生成、記録するための画像記録装置及び画像記録方法であって、当該画像ファイルから複数の画像データを読み込む機能を有さない画像処理装置においても利用可能な形式で画像ファイルを記録することができる画像記録装置及び画像記録方法を提供する。【解決手段】  拡張画像ファイルＦ１００と対になる基本ファイルＦ１０が存在しない場合には（ステップＳ１２）、拡張画像ファイルＦ１００の中から代表画像データＰ（ｄ）の圧縮画像データが読み出されて、基本ファイルＦ１０が作成される（ステップＳ１４）。基本ファイルＦ１０が改変されていると判定された場合には（ステップＳ１８）、改変されている基本ファイルＦ１０のファイル名又は拡張画像ファイルＦ１００のファイル名のいずれか一方が変更され（ステップＳ２０）、拡張画像ファイルＦ１００の中から代表画像データＰ（ｄ）の圧縮画像データが読み出されて、基本ファイルＦ１０が作成される（ステップＳ１４）。【選択図】      図１
2008186287.tif 000002
【特許請求の範囲】
【請求項１】
複数の画像データを格納した拡張画像ファイルと、前記拡張画像ファイルに格納された複数の画像データの中から選択された１枚の代表画像データを格納した基本ファイルとを関連付けて記録する画像記録手段と、
前記基本ファイルが削除又は改変されているかどうかを判定する判定手段と、
前記基本ファイルが削除又は改変されていると判定された場合に、前記拡張画像ファイルから前記基本ファイルを復元する基本ファイル復元手段と、
を備えることを特徴とする画像記録装置。
【請求項２】
前記画像記録手段は、前記複数の画像データをつなぎ合わせて１つの画像データとして前記拡張画像ファイルに格納することを特徴とする請求項１記載の画像記録装置。
【請求項３】
前記画像記録手段は、前記基本ファイルと前記拡張画像ファイルのファイル名の拡張子を除く部分を同一にして記録することを特徴とする請求項１又は２記載の画像記録装置。
【請求項４】
前記基本ファイルが改変されていると判定された場合に、前記基本ファイルのファイル名を変更するファイル名変更手段を更に備えることを特徴とする請求項３記載の画像記録装置。
【請求項５】
前記基本ファイルが改変されていると判定された場合に、前記拡張画像ファイルのファイル名を変更するファイル名変更手段を更に備え、
前記基本ファイル復元手段は、前記復元した基本ファイルのファイル名の拡張子を除く部分を、前記ファイル名変更手段によってファイル名が変更された拡張画像ファイルのファイル名の拡張子を除く部分と同一にすることを特徴とする請求項３記載の画像記録装置。
【請求項６】
前記画像記録手段は、前記拡張画像ファイル中に、前記基本ファイルのタイムスタンプ情報、前記基本ファイル中の所定の領域のハッシュ値又は前記基本ファイル中の所定の領域のデータサイズのうち少なくとも１つを記録しており、
前記判定手段は、前記基本ファイルのタイムスタンプ情報、前記基本ファイル中の所定の領域のハッシュ値又は前記基本ファイル中の所定の領域のデータサイズのうち少なくとも１つに基づいて、前記基本ファイルが改変されているかどうか判定することを特徴とする請求項１から５のいずれか１項記載の画像記録装置。
【請求項７】
前記所定の領域は、前記基本ファイル中の代表画像データの格納領域であることを特徴とする請求項６記載の画像記録装置。
【請求項８】
１又は複数の撮影手段を用いて同一の被写体が多視点から撮影された複数の画像データを取得する画像データ取得手段と、
前記複数の画像データを格納した拡張画像ファイルを生成する拡張画像ファイル生成手段と、
前記複数の画像データの中から代表画像データを選択して基本ファイルを生成する基本ファイル生成手段と、
を備えることを特徴とする請求項１から７のいずれか１項記載の画像記録装置。
【請求項９】
前記基本ファイル生成手段は、前記被写体を撮影する際の多視点のうち中間近傍の視点から撮影された画像データを代表画像データとして選択することを特徴とする請求項８記載の画像記録装置。
【請求項１０】
前記基本ファイル生成手段は、前記拡張画像ファイル中の前記複数の画像データが格納されている領域の中間近傍に位置する画像データを代表画像データとして選択することを特徴とする請求項１から８のいずれか１項記載の画像記録装置。
【請求項１１】
複数の画像データを格納した拡張画像ファイルと、前記拡張画像ファイルに格納された複数の画像データの中から選択された１枚の代表画像データを格納した基本ファイルとを関連付けて記録する画像記録工程と、
前記基本ファイルが削除又は改変されているかどうかを判定する判定工程と、
前記基本ファイルが削除又は改変されていると判定された場合に、前記拡張画像ファイルから前記基本ファイルを復元する基本ファイル復元工程と、
を備えることを特徴とする画像記録方法。
【請求項１２】
前記画像記録工程では、前記基本ファイルと前記拡張画像ファイルのファイル名の拡張子を除く部分を同一にして記録することを特徴とする請求項１１記載の画像記録方法。
【請求項１３】
前記基本ファイルが改変されていると判定された場合に、前記基本ファイルのファイル名を変更するファイル名変更工程を更に備えることを特徴とする請求項１２記載の画像記録方法。
【請求項１４】
前記基本ファイルが改変されていると判定された場合に、前記拡張画像ファイルのファイル名を変更するファイル名変更工程と、
前記復元した基本ファイルのファイル名の拡張子を除く部分を、前記ファイル名が変更された拡張画像ファイルのファイル名の拡張子を除く部分と同一にする工程と、
を更に備えることを特徴とする請求項１２記載の画像記録方法。
【請求項１５】
前記拡張画像ファイル中に、前記基本ファイルのタイムスタンプ情報、前記基本ファイル中の所定の領域のハッシュ値又は前記基本ファイル中の所定の領域のデータサイズのうち少なくとも１つを記録する工程を更に備え、
前記判定工程では、前記基本ファイルのタイムスタンプ情報、前記基本ファイル中の所定の領域のハッシュ値又は前記基本ファイル中の所定の領域のデータサイズのうち少なくとも１つに基づいて、前記基本ファイルが改変されているかどうか判定することを特徴とする請求項１１から１４のいずれか１項記載の画像記録方法。
【請求項１６】
前記所定の領域は、前記基本ファイル中の代表画像データの格納領域であることを特徴とする請求項１５記載の画像記録方法。
【請求項１７】
１又は複数の撮影手段を用いて同一の被写体が多視点から撮影された複数の画像データを取得する画像データ取得工程と、
前記複数の画像データを格納した拡張画像ファイルを生成する拡張画像ファイル生成工程と、
前記複数の画像データの中から代表画像データを選択して基本ファイルを生成する基本ファイル生成工程と、
を備えることを特徴とする請求項１１から１６のいずれか１項記載の画像記録方法。
【請求項１８】
前記基本ファイル生成工程では、前記被写体を撮影する際の多視点のうち中間近傍の視点から撮影された画像データを代表画像データとして選択することを特徴とする請求項１７記載の画像記録方法。
【請求項１９】
前記基本ファイル生成工程では、前記拡張画像ファイル中の前記複数の画像データが格納されている領域の中間近傍に位置する画像データを代表画像データとして選択することを特徴とする請求項１１から１７のいずれか１項記載の画像記録方法。
【発明の詳細な説明】
【技術分野】
【０００１】
本発明は画像記録装置及び画像記録方法に係り、特に複数の画像データを１つの画像ファイルに格納する技術に関する。
【背景技術】
【０００２】
特許文献１には、連続した複数枚の静止画を記録する場合に、１回の記録動作で生成する連続静止画圧縮データを、各々独立した静止画圧縮データの結合体とする画像データ記録方法が開示されている。
【０００３】
特許文献２には、複数の視点の画像から画像データを作成する画像データ作成装置において、複数の視点の画像のファイルヘッダと画像情報とを単体で既存形式のファイルとすることが開示されている。
【０００４】
特許文献３には、立体画像データを保存する際に、新規フォルダを作成して立体画像データ、右眼画像データ、左眼画像データを一緒に保存する画像記録装置が開示されている。
【特許文献１】特開平１１−２６６４２０号公報（図４）
【特許文献２】特開２００４−２７４０９１号公報（図９）
【特許文献３】特開２００５−２２９２９１号公報（段落［０１２５］、図７）
【発明の開示】
【発明が解決しようとする課題】
【０００５】
画像処理装置の中には、複数の画像データが格納された画像ファイルから、複数の画像データを読み込んで再生処理等を行う機能を有さないものが存在する。上記のような画像処理装置では、複数の画像データが格納された画像ファイルを読み込んだ場合、当該画像ファイル中の画像データのうちの最初の１枚だけは読み込むことができる場合がある。しかしながら、上記のような画像処理装置では、１枚目の画像データしか読み込めないために、読み込んだ画像データを編集した後に保存した場合、元の画像ファイルの２枚目以降の画像データが新たに保存された画像ファイルには保存されないという問題があった。従って、上書き保存を行った場合には、元の画像ファイルの２枚目以降の画像データが消去されてしまうという問題があった。
【０００６】
特許文献１及び２は、上記の問題を解決するためのものではなかった。また、特許文献３では、右眼画像データ、左眼画像データを立体画像データと一緒に保存するものであるが、右眼画像データ、左眼画像データのどちらかに編集が加えられた場合、改変の有無を検出できるものではなかった。
【０００７】
本発明はこのような事情に鑑みてなされたもので、複数の画像データが格納された１つの画像ファイルを生成、記録するための画像記録装置及び画像記録方法であって、当該画像ファイルから複数の画像データを読み込む機能を有さない画像処理装置においても利用可能な形式で画像ファイルを記録することができる画像記録装置及び画像記録方法を提供することを目的とする。
【課題を解決するための手段】
【０００８】
上記課題を解決するために、本願発明１に係る画像記録装置は、複数の画像データを格納した拡張画像ファイルと、前記拡張画像ファイルに格納された複数の画像データの中から選択された１枚の代表画像データを格納した基本ファイルとを関連付けて記録する画像記録手段と、前記基本ファイルが削除又は改変されているかどうかを判定する判定手段と、前記基本ファイルが削除又は改変されていると判定された場合に、前記拡張画像ファイルから前記基本ファイルを復元する基本ファイル復元手段とを備えることを特徴とする。
【０００９】
本願発明１によれば、拡張画像ファイルから複数の画像データを読み込んで再生、編集する機能を有さない画像処理装置においても、拡張画像ファイル中の代表画像データを読み込み可能な形式で画像を記録することができる。更に、本願発明１によれば、基本ファイルが削除又は改変された場合に、拡張画像ファイル中の代表画像データを用いて基本ファイルを復元することができるので、常に改変前の代表画像データを他の画像処理装置に提供することができる。
【００１０】
本願発明２は、本願発明１の画像記録装置において、前記画像記録手段は、前記複数の画像データをつなぎ合わせて１つの画像データとして前記拡張画像ファイルに格納することを特徴とする。
【００１１】
本願発明３は、本願発明１又は２の画像記録装置において、前記画像記録手段は、前記基本ファイルと前記拡張画像ファイルのファイル名の拡張子を除く部分を同一にして記録することを特徴とする。
【００１２】
本願発明４は、本願発明３の画像記録装置において、前記基本ファイルが改変されていると判定された場合に、前記基本ファイルのファイル名を変更するファイル名変更手段を更に備えることを特徴とする。
【００１３】
本願発明５は、本願発明３の画像記録装置において、前記基本ファイルが改変されていると判定された場合に、前記拡張画像ファイルのファイル名を変更するファイル名変更手段を更に備え、前記基本ファイル復元手段は、前記復元した基本ファイルのファイル名の拡張子を除く部分を、前記ファイル名変更手段によってファイル名が変更された拡張画像ファイルのファイル名の拡張子を除く部分と同一にすることを特徴とする。
【００１４】
本願発明４又は５によれば、改変された基本ファイルと、改変前の代表画像データを含む基本ファイルとを別々に保持することができる。
【００１５】
本願発明６は、本願発明１から５の画像記録装置において、前記画像記録手段は、前記拡張画像ファイル中に、前記基本ファイルのタイムスタンプ情報、前記基本ファイル中の所定の領域のハッシュ値又は前記基本ファイル中の所定の領域のデータサイズのうち少なくとも１つを記録しており、前記判定手段は、前記基本ファイルのタイムスタンプ情報、前記基本ファイル中の所定の領域のハッシュ値又は前記基本ファイル中の所定の領域のデータサイズのうち少なくとも１つに基づいて、前記基本ファイルが改変されているかどうか判定することを特徴とする。
【００１６】
本願発明６は、基本ファイルのタイムスタンプ情報、基本ファイル中の所定の領域のハッシュ値又はデータサイズに基づいて基本ファイルの改変の有無を判定することができる。
【００１７】
本願発明７は、本願発明６の画像記録装置において、前記所定の領域は、前記基本ファイル中の代表画像データの格納領域であることを特徴とする。
【００１８】
本願発明８は、本願発明１から７の画像記録装置において、１又は複数の撮影手段を用いて同一の被写体が多視点から撮影された複数の画像データを取得する画像データ取得手段と、前記複数の画像データを格納した拡張画像ファイルを生成する拡張画像ファイル生成手段と、前記複数の画像データの中から代表画像データを選択して基本ファイルを生成する基本ファイル生成手段とを備えることを特徴とする。
【００１９】
本願発明９は、本願発明８の画像記録装置において、前記基本ファイル生成手段は、前記被写体を撮影する際の多視点のうち中間近傍の視点から撮影された画像データを代表画像データとして選択することを特徴とする。
【００２０】
本願発明１０は、本願発明１から８の画像記録装置において、前記基本ファイル生成手段は、前記拡張画像ファイル中の前記複数の画像データが格納されている領域の中間近傍に位置する画像データを代表画像データとして選択することを特徴とする。
【００２１】
本願発明１１に係る画像記録方法は、複数の画像データを格納した拡張画像ファイルと、前記拡張画像ファイルに格納された複数の画像データの中から選択された１枚の代表画像データを格納した基本ファイルとを関連付けて記録する画像記録工程と、前記基本ファイルが削除又は改変されているかどうかを判定する判定工程と、前記基本ファイルが削除又は改変されていると判定された場合に、前記拡張画像ファイルから前記基本ファイルを復元する基本ファイル復元工程とを備えることを特徴とする。
【００２２】
本願発明１２は、本願発明１１の画像記録方法において、前記画像記録工程では、前記基本ファイルと前記拡張画像ファイルのファイル名の拡張子を除く部分を同一にして記録することを特徴とする。
【００２３】
本願発明１３は、本願発明１２の画像記録方法において、前記基本ファイルが改変されていると判定された場合に、前記基本ファイルのファイル名を変更するファイル名変更工程を更に備えることを特徴とする。
【００２４】
本願発明１４は、本願発明１２の画像記録方法において、前記基本ファイルが改変されていると判定された場合に、前記拡張画像ファイルのファイル名を変更するファイル名変更工程と、前記復元した基本ファイルのファイル名の拡張子を除く部分を、前記ファイル名が変更された拡張画像ファイルのファイル名の拡張子を除く部分と同一にする工程とを更に備えることを特徴とする。
【００２５】
本願発明１５は、本願発明１１から１４の画像記録方法において、前記拡張画像ファイル中に、前記基本ファイルのタイムスタンプ情報、前記基本ファイル中の所定の領域のハッシュ値又は前記基本ファイル中の所定の領域のデータサイズのうち少なくとも１つを記録する工程を更に備え、前記判定工程では、前記基本ファイルのタイムスタンプ情報、前記基本ファイル中の所定の領域のハッシュ値又は前記基本ファイル中の所定の領域のデータサイズのうち少なくとも１つに基づいて、前記基本ファイルが改変されているかどうか判定することを特徴とする。
【００２６】
本願発明１６は、本願発明１５の画像記録方法において、前記所定の領域は、前記基本ファイル中の代表画像データの格納領域であることを特徴とする。
【００２７】
本願発明１７は、本願発明１１から１６の画像記録方法において、１又は複数の撮影手段を用いて同一の被写体が多視点から撮影された複数の画像データを取得する画像データ取得工程と、前記複数の画像データを格納した拡張画像ファイルを生成する拡張画像ファイル生成工程と、前記複数の画像データの中から代表画像データを選択して基本ファイルを生成する基本ファイル生成工程とを備えることを特徴とする。
【００２８】
本願発明１８は、本願発明１７の画像記録方法において、前記基本ファイル生成工程では、前記被写体を撮影する際の多視点のうち中間近傍の視点から撮影された画像データを代表画像データとして選択することを特徴とする。
【００２９】
本願発明１９は、本願発明１１から１７の画像記録方法において、前記基本ファイル生成工程では、前記拡張画像ファイル中の前記複数の画像データが格納されている領域の中間近傍に位置する画像データを代表画像データとして選択することを特徴とする。
【発明の効果】
【００３０】
本発明によれば、複数の画像データが格納された拡張画像ファイルから複数の画像データを読み込んで再生、編集する機能を有さない画像処理装置においても、拡張画像ファイル中の代表画像データを読み込み可能な形式で画像を記録することができる。更に、本発明によれば、基本ファイルが削除又は改変された場合に、拡張画像ファイル中の代表画像データを用いて基本ファイルを復元することができるので、常に改変前の代表画像データを他の画像処理装置に提供することができる。
【発明を実施するための最良の形態】
【００３１】
以下、添付図面に従って本発明に係る画像記録装置及び画像記録方法の好ましい実施の形態について説明する。
【００３２】
［第１の実施形態］
図２は、本発明の第１の実施形態に係る画像記録装置を備えた撮影装置の主要構成を示すブロック図である。図２に示すように、撮影装置１は、複数の撮影部１０−１、１０−２、…、１０−Ｎ（Ｎ≧２）を備えており、同一の被写体を多視点から撮影した視差画像を取得し、所定の形式の記録用画像データとして記録する装置である。
【００３３】
メインＣＰＵ１２（以下、ＣＰＵ１２と記載する）は、操作部１４からの入力に基づき所定の制御プログラムに従って撮影装置１全体の動作を統括制御する制御手段として機能する。電源制御部１６は、バッテリ１８からの電力を制御して、撮影装置１の各部に動作電力を供給する。
【００３４】
ＣＰＵ１２には、バス２０を介してＲＯＭ２２、フラッシュＲＯＭ２４、ＳＤＲＡＭ２６及びＶＲＡＭ２８が接続されている。ＲＯＭ２２には、ＣＰＵ１２が実行する制御プログラム及び制御に必要な各種データ等が格納される。フラッシュＲＯＭ２４には、ユーザ設定情報等の撮影装置１の動作に関する各種設定情報等が格納される。
【００３５】
ＳＤＲＡＭ２６は、ＣＰＵ１２の演算作業用領域及び画像データの一時記憶領域（ワークメモリ）を含んでいる。ＶＲＡＭ２８は、表示用の画像データ専用の一時記憶領域を含んでいる。
【００３６】
モニタ３０は、例えば、カラー液晶パネルを備えた表示装置により構成され、撮影済み画像を表示するための画像表示部として使用されるとともに、各種設定時にＧＵＩとして使用される。また、モニタ３０は、撮影モード時に画角を確認するための電子ファインダとして利用される。モニタ３０の表面には、かまぼこ状のレンズ群を有したいわゆるレンチキュラレンズが配置されており、３次元画像（３Ｄ画像）の表示時にはユーザは立体視が可能となる。表示制御部３２は、撮像素子４８又はメモリカード７０から読み出された画像データを表示用の画像信号（例えば、ＮＴＳＣ信号、ＰＡＬ信号又はＳＣＡＭ信号）に変換してモニタ３０に出力するとともに、所定の文字、図形情報（例えば、オンスクリーン表示用のデータ）をモニタ３０に出力する。また、表示制御部３２は、所定のインターフェイス（例えば、ＵＳＢ、IEEE1394、ＬＡＮ）を介して接続された外部表示装置に画像を出力可能となっている。
【００３７】
操作部１４は、シャッタボタン、電源／モードスイッチ、モードダイヤル、十字ボタン、ズームボタン、ＭＥＮＵ／ＯＫボタン、ＤＩＳＰボタン及びＢＡＣＫボタン等の操作入力手段を含んでいる。
【００３８】
電源／モードスイッチは、撮影装置１の電源のオン／オフの切り替え、及び撮影装置１の動作モード（再生モード及び撮影モード）の切り替え手段として機能する。
【００３９】
モードダイヤルは、撮影装置１の撮影モードを切り替えるための操作手段であり、モードダイヤルの設定位置に応じて、２次元の静止画を撮影する２Ｄ静止画撮影モード、２次元の動画を撮影する２Ｄ動画撮影モード、３次元の静止画を撮影する３Ｄ静止画撮影モード及び３次元の動画を撮影する３Ｄ動画撮影モードの間で撮影モードが切り替えられる。撮影モードが２Ｄ静止画撮影モード又は２Ｄ動画撮影モードに設定されると、２Ｄ／３Ｄモード切替フラグ３４に、２次元画像を撮影するための２Ｄモードであることを表すフラグが設定される。また、撮影モードが３Ｄ静止画撮影モード又は３Ｄ動画撮影モードに設定されると、２Ｄ／３Ｄモード切替フラグ３４に、３次元画像を撮影するための３Ｄモードであることを表すフラグが設定される。ＣＰＵ１２は、２Ｄ／３Ｄモード切替フラグ３４を参照して、２Ｄモードと３Ｄモードのいずれであるかを判別する。
【００４０】
シャッタボタンは、いわゆる「半押し」と「全押し」とからなる２段ストローク式のスイッチで構成されている。静止画撮影モード時には、シャッタボタンが半押しされると、撮影準備処理（即ち、ＡＥ（Automatic Exposure：自動露出）、ＡＦ（Auto Focus：自動焦点合わせ）、ＡＷＢ（Automatic White Balance：自動ホワイトバランス））が行われ、シャッタボタンが全押しされると、画像の撮影・記録処理が行われる。また、動画撮影モード時には、シャッタボタンが全押しされると、動画の撮影が開始され、再度全押しされると、撮影が終了する。設定により、シャッタボタンが全押しされている間、動画の撮影が行われ、全押しが解除されると、撮影を終了するようにすることもできる。なお、静止画撮影用のシャッタボタン及び動画撮影用のシャッタボタンを別々に設けるようにしてもよい。
【００４１】
十字ボタンは、上下左右４方向に押圧操作可能に設けられており、各方向のボタンには、撮影装置１の動作モード等に応じた機能が割り当てられる。例えば、撮影モード時には、左ボタンにマクロ機能のオン／オフを切り替える機能が割り当てられ、右ボタンにフラッシュモードを切り替える機能が割り当てられる。また、撮影モード時には、上ボタンにモニタ３０の明るさを替える機能が割り当てられ、下ボタンにセルフタイマのオン／オフを切り替える機能が割り当てられる。再生モード時には、左ボタンにコマ送りの機能が割り当てられ、右ボタンにコマ戻しの機能が割り当てられる。また、再生モード時には、上ボタンにモニタ３０の明るさを替える機能が割り当てられ、下ボタンに再生中の画像を削除する機能が割り当てられる。また、各種設定時には、モニタ３０に表示されたカーソルを各ボタンの方向に移動させる機能が割り当てられる。
【００４２】
ズームボタンは、撮影部１０−１、１０−２、…、１０−Ｎのズーミング操作を行うための操作手段であり、望遠側へのズームを指示するズームテレボタンと、広角側へのズームを指示するズームワイドボタンとを備えている。
【００４３】
ＭＥＮＵ／ＯＫボタンは、メニュー画面の呼び出し（ＭＥＮＵ機能）に用いられるとともに、選択内容の確定、処理の実行指示等（ＯＫ機能）に用いられ、撮影装置１の設定状態に応じて割り当てられる機能が切り替えられる。メニュー画面では、ＭＥＮＵ／ＯＫボタンは、例えば、露出値、色合い、撮影感度、記録画素数等の画質調整やセルフタイマの設定、測光方式の切り替え、デジタルズームを使用するか否か等、撮影装置１が持つすべての調整項目の設定が行われる。撮影装置１は、このメニュー画面で設定された条件に応じて動作する。
【００４４】
ＤＩＳＰボタンは、モニタ３０の表示内容の切り替え指示等の入力に用いられ、ＢＡＣＫボタンは入力操作のキャンセル等の指示の入力に用いられる。
【００４５】
フラッシュ発光部３６は、例えば、放電管（キセノン管）により構成され、暗い被写体を撮影する場合や逆光時等に必要に応じて発光される。フラッシュ制御部３８は、フラッシュ発光部（放電管）３６を発光させるための電流を供給するためのメインコンデンサを含んでおり、ＣＰＵ１２からのフラッシュ発光指令に従ってメインコンデンサの充電制御、フラッシュ発光部３６の放電（発光）のタイミング及び放電時間の制御等を行う。なお、フラッシュ発光部３６としては、ＬＥＤ等の他の発光手段を用いてもよい。
【００４６】
次に、撮影装置１の撮影機能について説明する。撮影部１０は、撮影レンズ４０（ズームレンズ４２、フォーカスレンズ４４及び絞り４６）、ズームレンズ制御部（Ｚレンズ制御部）４２Ｃ、フォーカスレンズ制御部（Ｆレンズ制御部）４４Ｃ、絞り制御部４６Ｃ、撮像素子４８、タイミングジェネレータ（ＴＧ）５０、アナログ信号処理部５２、Ａ／Ｄ変換器５４、画像入力コントローラ５６及びデジタル信号処理部５８を備えている。なお、図２では、各撮影部１０−１、１０−２、…、１０−Ｎ内の各部にそれぞれ符号１、２、…、Ｎを付して区別しているが、各部の機能は略同様であるため、以下の説明では、符号１、２、…、Ｎを省略して説明する。
【００４７】
ズームレンズ４２は、図示しないズームアクチュエータに駆動されて光軸に沿って前後に移動する。ＣＰＵ１２は、ズームレンズ制御部４２Ｃを介してズームアクチュエータの駆動を制御することにより、ズームレンズ４２の位置を制御してズーミングを行う。
【００４８】
フォーカスレンズ４４は、図示しないフォーカスアクチュエータに駆動されて光軸に沿って前後に移動する。ＣＰＵ１２は、フォーカスレンズ制御部４４Ｃを介してフォーカスアクチュエータの駆動を制御することにより、フォーカスレンズ４４の位置を制御してフォーカシングを行う。
【００４９】
絞り４６は、例えば、アイリス絞りで構成されており、図示しない絞りアクチュエータに駆動されて動作する。ＣＰＵ１２は、絞り制御部４６Ｃを介して絞りアクチュエータの駆動を制御することにより、絞り４６の開口量（絞り値）を制御し、撮像素子４８への入射光量を制御する。
【００５０】
ＣＰＵ１２は、各撮影部の撮影レンズ４０−１、４０−２、…、４０−Ｎを同期させて駆動する。即ち、撮影レンズ４０−１、４０−２、…、４０−Ｎは、常に同じ焦点距離（ズーム倍率）に設定され、常に同じ被写体にピントが合うように焦点調節が行われる。また、常に同じ入射光量（絞り値）となるように絞りが調整される。
【００５１】
撮像素子４８は、例えば、カラーＣＣＤ固体撮像素子により構成されている。撮像素子（ＣＣＤ）４８の受光面には、多数のフォトダイオードが２次元的に配列されており、各フォトダイオードには所定の配列でカラーフィルタが配置されている。撮影レンズ４０によってＣＣＤの受光面上に結像された被写体の光学像は、このフォトダイオードによって入射光量に応じた信号電荷に変換される。各フォトダイオードに蓄積された信号電荷は、ＣＰＵ１２の指令に従ってＴＧ５０から与えられる駆動パルスに基づいて信号電荷に応じた電圧信号（画像信号）として撮像素子４８から順次読み出される。撮像素子４８は、電子シャッタ機能を備えており、フォトダイオードへの電荷蓄積時間を制御することにより、露光時間（シャッタ速度）が制御される。
【００５２】
なお、本実施形態では、撮像素子４８としてＣＣＤを用いているが、ＣＭＯＳセンサ等の他の構成の撮像素子を用いることもできる。
【００５３】
アナログ信号処理部５２は、撮像素子４８から出力された画像信号に含まれるリセットノイズ（低周波）を除去するための相関２重サンプリング回路（ＣＤＳ）、画像信号を増幅して一定レベルの大きさにコントロールするためのＡＧＳ回路を含み、撮像素子４８から出力される画像信号を相関２重サンプリング処理するとともに増幅する。
【００５４】
Ａ／Ｄ変換器５４は、アナログ信号処理部５２から出力されたアナログの画像信号をデジタルの画像信号に変換する。
【００５５】
画像入力コントローラ５６は、Ａ／Ｄ変換器５４から出力された画像信号を取り込んで、ＳＤＲＡＭ２６に格納する。
【００５６】
デジタル信号処理部５８は、同時化回路（単板ＣＣＤのカラーフィルタ配列に伴う色信号の空間的なズレを補間して色信号を同時式に変換する処理回路）、ホワイトバランス調整回路、階調変換処理回路（例えば、ガンマ補正回路）、輪郭補正回路、輝度・色差信号生成回路等を含む画像処理手段として機能し、ＳＤＲＡＭ２６に格納されたＲ、Ｇ、Ｂの画像信号に対して所定の信号処理を行う。即ち、Ｒ、Ｇ、Ｂの画像信号は、デジタル信号処理部５８において輝度信号（Ｙ信号）及び色差信号（Ｃｒ、Ｃｂ信号）からなるＹＵＶ信号に変換されるとともに、階調変換処理（例えば、ガンマ補正）等の所定の処理が施される。デジタル信号処理部５８により処理された画像データはＶＲＡＭ２８に格納される。
【００５７】
撮影画像をモニタ３０に出力する場合、ＶＲＡＭ２８から画像データが読み出され、バス２０を介して表示制御部３２に送られる。表示制御部３２は、入力された画像データを表示用の所定方式のビデオ信号に変換してモニタ３０に出力する。
【００５８】
ＡＦ検出部６０は、画像入力コントローラ５６−１、５６−２、…、５６−Ｎのいずれか１つから取り込まれたＲ、Ｇ、Ｂの各色の画像信号を取り込み、ＡＦ制御に必要な焦点評価値を算出する。ＡＦ検出部６０は、Ｇ信号の高周波成分のみを通過させるハイパスフィルタ、絶対値化処理部、画面に設定された所定のフォーカスエリア内の信号を切り出すフォーカスエリア抽出部、及びフォーカスエリア内の絶対値データを積算する積算部を含み、この積算部で積算されたフォーカスエリア内の絶対値データを焦点評価値としてＣＰＵ１２に出力する。
【００５９】
ＣＰＵ１２は、ＡＦ制御時にはＡＦ検出部６０から出力される焦点評価値が極大となる位置をサーチし、その位置にフォーカスレンズ４２を移動させることにより、主要被写体への焦点合わせを行う。即ち、ＣＰＵ１２は、ＡＦ制御時には、まず、フォーカスレンズ４２を至近から無限遠まで移動させ、その移動過程でＡＦ検出部６０から焦点評価値を逐次取得し、その焦点評価値が極大となる位置を検出する。そして、検出された焦点評価値が極大の位置を合焦位置と判定し、その位置にフォーカスレンズ４２を移動させる。これにより、フォーカスエリアに位置する被写体（主要被写体）にピントが合わせられる。
【００６０】
ＡＥ／ＡＷＢ検出部６２は、画像入力コントローラ５６−１、５６−２、…、５６−Ｎのいずれか１つから取り込まれたＲ、Ｇ、Ｂの各色の画像信号を取り込み、ＡＥ制御及びＡＷＢ制御に必要な積算値を算出する。即ち、ＡＥ／ＡＷＢ検出部６２は、１画面を複数のエリア（例えば、８×８＝６４エリア）に分割し、分割されたエリアごとにＲ、Ｇ、Ｂ信号の積算値を算出する。
【００６１】
ＣＰＵ１２は、ＡＥ制御時にはＡＥ／ＡＷＢ検出部６２において算出されたエリアごとのＲ、Ｇ、Ｂ信号の積算値を取得し、被写体の明るさ（測光値）を求めて、適正な露光量を得るための露出設定を行う。即ち、撮影感度、絞り値、シャッタ速度、ストロボ発光の要否を設定する。
【００６２】
また、ＣＰＵ１２は、ＡＷＢ制御時にＡＥ／ＡＷＢ検出部６２により算出されたエリアごとのＲ、Ｇ、Ｂ信号の積算値をデジタル信号処理部５８に入力する。デジタル信号処理部５８は、ＡＥ／ＡＷＢ検出部６２により算出された積算値に基づいてホワイトバランス調整用のゲイン値を算出する。また、デジタル信号処理部５８は、ＡＥ／ＡＷＢ検出部６２により算出された積算値に基づいて光源種を検出する。
【００６３】
圧縮・伸張処理部６４は、ＣＰＵ１２からの指令に従い、入力された画像データに圧縮処理を施し、所定形式の圧縮画像データを生成する。例えば、静止画に対してはＪＰＥＧ規格に準拠した圧縮処理が施され、動画に対してはＭＰＥＧ２やＭＰＥＧ４、Ｈ．２６４規格に準拠した圧縮処理が施される。また、圧縮・伸張処理部６４は、ＣＰＵ１２からの指令に従い、入力された圧縮画像データに伸張処理を施し、非圧縮の画像データを生成する。
【００６４】
画像ファイル生成部６６は、上記圧縮・伸張処理部６４により生成されたＪＰＥＧ形式の静止画データを複数格納した拡張画像ファイルＦ１００を生成するとともに、拡張画像ファイルＦ１００に対応する基本ファイルＦ１０を生成する。
【００６５】
メディア制御部６８は、ＣＰＵ１２からの指令に従い、メモリカード７０に対するデータの読み／書きを制御する。
【００６６】
外部接続インターフェイス部（外部接続Ｉ／Ｆ）７２は、外部の画像処理装置（例えば、パーソナルコンピュータ、携帯情報端末及び画像ストレージ装置）との間でデータの送受信を行うための装置である。外部の画像処理装置との間の通信の方式は、例えば、ＵＳＢ、IEEE1394、ＬＡＮ、赤外線通信（IrDA）等である。
【００６７】
［記録用画像データの構成］
次に、本発明の第１の実施形態に係る記録用画像データの構成について説明する。図３は、基本ファイルＦ１０のデータ構造を模式的に示す図であり、図４は、拡張画像ファイルＦ１００のデータ構造を模式的に示す図である。また、図５は、メモリカード７０に基本ファイル及び拡張画像ファイルを格納する際のフォルダのツリー構造を模式的に示す図である。
【００６８】
図５に示すように、基本ファイルＦ１０と拡張画像ファイルＦ１００は、メモリカード７０内の同一のフォルダに格納される。基本ファイルＦ１０と拡張画像ファイルＦ１００の拡張子はそれぞれＪＰＧ、Ｆ３Ｄである。基本ファイルＦ１０は、ＪＰＥＧ形式のファイルとして再生及び編集が可能である。また、基本ファイルＦ１０と拡張画像ファイルＦ１００のファイル名は同じになっている。なお、本実施形態では、基本ファイルＦ１０及び拡張画像ファイルＦ１００のファイル名は、ＤＣＦ（Design rule for Camera File system）に従って決定される。
【００６９】
図４に示すように、本実施形態に係る拡張画像ファイルＦ１００は、拡張画像ファイルＦ１００のデータの先頭を示すマーカＳＯＩ（Start of Image）の格納領域Ａ１００、タグ情報格納領域Ａ１０２、画像データ格納領域Ａ１０４、データの終了を示すマーカＥＯＩ（End of Image）の格納領域Ａ１０６を含んでいる。
【００７０】
タグ情報格納領域Ａ１０２には、拡張画像ファイルＦ１００の３Ｄヘッダ情報が格納される。ここで、３Ｄヘッダ情報とは、画像データ格納領域Ａ１０４に格納された多視点の画像データの中から２つ以上を組み合わせて立体視用の表示を行うために使用される情報であり、例えば、立体視用の表示を行うときに使用する画像データの数を示す視点数、立体視用の表示を行うときに使用する画像データを指定するための情報、拡張画像ファイルＦ１００における各画像データの読み出し開始位置を指定するポインタ情報を含んでいる。
【００７１】
また、タグ情報格納領域Ａ１０２には、対応する基本ファイルＦ１０を特定するための情報が格納されており、拡張画像ファイルＦ１００の再生時に基本ファイルＦ１０を参照可能となっている。
【００７２】
画像データ格納領域Ａ１０４には、上記撮影部１０−１、１０−２、…、１０−Ｎにより撮影された画像をＪＰＥＧ形式に圧縮して得られた圧縮画像データ（各々Ｐ（１）、Ｐ（２）、…、Ｐ（Ｎ））が格納される。
【００７３】
図３に示すように、本実施形態に係る基本ファイルＦ１０は、基本ファイルＦ１０のデータの先頭を示すマーカＳＯＩ（Start of Image）の格納領域Ａ１０、タグ情報格納領域Ａ１２、画像データ格納領域Ａ１４、データの終了を示すマーカＥＯＩ（End of Image）の格納領域Ａ１６を含んでいる。
【００７４】
画像データ格納領域Ａ１４には、拡張画像ファイルＦ１００内の圧縮画像データＰ（１）、Ｐ（２）、…、Ｐ（Ｎ）の中の代表画像データＰ（ｄ）が格納される。画像ファイル生成部６６は、例えば、視点位置が中間又は中間近傍の画像（即ち、視差画像の撮影時に多視点の中間近傍に配置された撮影部１０−ｄにより撮影された画像）を代表画像データＰ（ｄ）として選択する。即ち、代表画像データＰ（ｄ）は、視点数Ｎが奇数の場合には中間視点の画像、視点数Ｎが偶数の場合には中間近傍の画像となる。例えば、視点数Ｎ＝５の場合には、代表画像データは、撮影部１０−３により撮影された画像データＰ（３）となり、視点数Ｎ＝８の場合には、代表画像データは、撮影部１０−４又は１０−５により撮影された画像データＰ（４）又はＰ（５）となる。また、画像データ格納領域Ａ１４の中間近傍に位置する画像データが代表画像データＰ（ｄ）として選択されるようにしてもよい。なお、代表画像データの選択方法は、上記に限定されるものではなく、ユーザが手動で選択できるようにしてもよい。
【００７５】
タグ情報格納領域（APP1 Area）Ａ１２には、図３に示すように、Exif識別情報、TIFFヘッダ、IFD0領域（IFD0 Area）、IFD1領域が設けられている。IFD0領域には３Ｄタグ（3D IFD）が格納されており、３Ｄタグには拡張画像ファイルＦ１００との関連性に関する情報が格納されており、基本ファイルＦ１０の再生時に拡張画像ファイルＦ１００を参照可能となっている。
【００７６】
なお、図４に示す例では、拡張画像ファイルＦ１００の画像データ格納領域Ａ１０４には、多視点の画像に対応する圧縮画像データが複数格納されるようにしたが、例えば、図６に示すように、多視点の画像をつなぎ合わせて１枚の圧縮画像データ（統合画像）として格納するようにしてもよい。この場合、タグ情報格納領域Ａ１０２には、多視点の画像データＰ（１）、Ｐ（２）、…、Ｐ（Ｎ）の読み出し開始位置を示すポインタが格納される。また、基本ファイルＦ１０に中の代表画像データＰ（ｄ）の画像サイズは、統合画像中の画像データＰ（ｄ）と同じとなる。また、この場合、代表画像データＰ（ｄ）として、例えば、画像データ格納領域Ａ１４に格納された統合画像の中間近傍乃至中央近傍（図６に示す例では、Ｐ（２）又はＰ（３））に位置する画像データが選択されるようにしてもよい。
【００７７】
［基本ファイルの作成処理］
画像ファイル生成部６６は、基本ファイルＦ１０がフォルダから削除又は改変（編集）されているかどうかを判定する。そして、基本ファイルＦ１０がフォルダから削除又は改変（編集）されている場合、画像ファイル生成部６６は、拡張画像ファイルＦ１００から代表画像データを抽出して基本ファイルＦ１０を作成（復元）する。基本ファイルＦ１０が改変されている場合には、改変された基本ファイルは、復元された基本ファイルとは別に保存される。
【００７８】
なお、本実施形態では、改変された基本ファイルを特定するための情報を、拡張画像ファイルＦ１００又は復元された基本ファイルに格納して、拡張画像ファイルＦ１００の再生時に、改変された基本ファイルを参照可能としてもよい。また、改変された基本ファイルに、拡張画像ファイルＦ１００又は復元された基本ファイルに格納して、改変された基本ファイルの再生時に、復元された基本ファイル又は拡張画像ファイルＦ１００を参照可能としてもよい。
【００７９】
ここで、基本ファイルＦ１０が当該フォルダ内から削除されている場合には、復元された基本ファイルＦ１０のファイル名（拡張子を除く部分）は、拡張画像ファイルＦ１００と同じになる。一方、基本ファイルＦ１０が改変されている場合には、画像ファイル生成部６６は、下記に示すファイル名変更処理規則（１）又は（２）に従って基本ファイルＦ１０及び拡張画像ファイルＦ１００のファイル名を決定する。
【００８０】
図７は、ファイル名変更処理規則（１）を説明するための図である。図７に示すように、ユーザが改変した基本ファイルのファイル名が「ABCD0001.JPG」で、基本ファイル「ABCD0001.JPG」に対応する拡張画像ファイルのファイル名が「ABCD0001.F3D」の場合、改変された基本ファイルのファイル名がＤＣＦに従って変更される。ここで、ファイル生成部６６により復元される基本ファイルのファイル名は、拡張子を除き拡張画像ファイルと同じ「ABCD0001.JPG」となる。
【００８１】
図８は、ファイル名変更処理規則（２）を説明するための図である。図８に示す例では、改変された基本ファイルのファイル名は変更されず、拡張画像ファイルのファイル名がＤＣＦに従って変更され、基本ファイルが復元される。ここで、復元された基本ファイルのファイル名は、拡張子を除き拡張画像ファイルと同じである。
【００８２】
なお、上記の（１）及び（２）以外のファイル名変更処理規則を用いてもよい。
【００８３】
次に、基本ファイルＦ１０の改変の有無を判定する方法について説明する。画像ファイル生成部６６は、画像を撮影、記録する時に、基本ファイルＦ１０又は代表画像データＰ（ｄ）のデータサイズ又はハッシュ値、又は基本ファイルＦ１０のタイムスタンプ情報を、拡張画像ファイルＦ１００のヘッダ情報として記録する。そして、画像ファイル生成部６６は、上記基本ファイルＦ１０又は代表画像データＰ（ｄ）のファイルサイズ又はハッシュ値、又は基本ファイルＦ１０のタイムスタンプ情報を基本ファイルＦ１０から取得して拡張画像ファイルＦ１００のタグ情報と比較し、両者が一致しない場合に基本ファイルＦ１０が改変されていると判定する。
【００８４】
なお、基本ファイルＦ１０の削除又は改変の有無の判定は、例えば、撮影装置１の電源オン時又は動作モードの切り替え時（例えば、撮影モードから再生モードへの切り替え時）に、メモリカード７０のフォルダ内の拡張画像ファイルを自動的にスキャンして、すべての拡張画像ファイルＦ１００に対して基本ファイルＦ１０の削除又は改変の有無を判定するようにしてもよいし、撮影装置１において、拡張画像ファイルＦ１００の再生又はプレビューの操作が行われる都度、当該拡張画像ファイルＦ１００に対して基本ファイルＦ１０の削除又は改変の有無を判定するようにしてもよい。
【００８５】
図１は、基本ファイルＦ１０の復元処理を示すフローチャートである。まず、拡張画像ファイルＦ１００が選択され（ステップＳ１０）、当該拡張画像ファイルＦ１００に対応する基本ファイルＦ１０が存在するかどうか判定される（ステップＳ１２）。ステップＳ１２において、上記拡張画像ファイルＦ１００に対応する基本ファイルＦ１０が存在しない場合には、拡張画像ファイルＦ１００の中から代表画像データＰ（ｄ）の圧縮画像データが読み出されて、基本ファイルＦ１０が作成される（ステップＳ１４）。
【００８６】
一方、ステップＳ１２において、上記拡張画像ファイルＦ１００に対応する基本ファイルＦ１０が存在する場合には、基本ファイルＦ１０が改変されているかどうか判定される（ステップＳ１６）。そして、基本ファイルＦ１０が改変されていると判定された場合には（ステップＳ１８のＹｅｓ）、上記ファイル名変更規則に従って、改変されている基本ファイルＦ１０のファイル名又は拡張画像ファイルＦ１００のファイル名のいずれか一方が変更され（ステップＳ２０）、拡張画像ファイルＦ１００の中から代表画像データＰ（ｄ）の圧縮画像データが読み出されて、基本ファイルＦ１０が作成される（ステップＳ１４）。
【００８７】
本実施形態によれば、例えば、拡張画像ファイルＦ１００が格納されているフォルダ内から基本ファイルＦ１０が削除又は改変されて上書き保存された場合や、撮影装置１とは別の画像処理装置において、拡張画像ファイルＦ１００が格納されているフォルダ内から基本ファイルＦ１０が削除又は改変されて上書き保存された後、拡張画像ファイルＦ１００が撮影装置１に書き戻された場合に、基本ファイルＦ１０を復元することができるので、常に改変前の代表画像データを他の画像処理装置に提供することができる。
【００８８】
［第２の実施形態］
次に、本発明の第２の実施形態について説明する。図９は、本発明の第２の実施形態に係る画像記録装置の主要構成を示すブロック図である。本実施形態では、画像記録装置１００は、例えば、パーソナルコンピュータ（ＰＣ）等から構成されており、撮影装置又はメモリカード７０からの記録用画像データの読み込み、記録用画像データの保存、編集等を行うための装置である。図９に示すように、中央処理装置（ＣＰＵ）１０２は、バス１０４を介して画像記録装置１００内の各ブロックに接続されており、各ブロックの動作を制御する。主メモリ１０６は、制御プログラムが格納される記憶領域や、プログラム実行時の作業領域を含んでいる。ハードディスク装置１０８には、画像記録装置１００のオペレーティングシステム（ＯＳ）や、各種のアプリケーションソフト、撮影装置１又はメモリカード７０から読み込まれた記録用画像データ（基本ファイルＦ１０及び拡張画像ファイルＦ１００）等が格納される。ＣＤ−ＲＯＭ装置１１０は、図示せぬＣＤ−ＲＯＭからのデータの読み込みを行う。カードインターフェース部（カードＩ／Ｆ）１１２は、メモリカード７０から画像データを読み取る。表示メモリ１１６は、表示用データを一時記憶する。モニタ１１８は、例えば、ＣＲＴ（Cathode Ray Tube）モニタや液晶モニタにより構成され、この表示メモリ１１６から出力される画像データ、文字データ等に基づいて画像や文字等を表示する。キーボード１２０及びマウス１２２は、操作者からの操作入力を受け付けて、操作入力に応じた信号をＣＰＵ１０２に入力する。なお、ポインティングデバイスとしては、マウス１２２のほか、タッチパネルやタッチパッド等を用いることができる。マウスコントローラ１２４は、マウス１２２の状態を検出してモニタ１１８上のマウスポインタの位置や、マウス１２２の状態等の信号をＣＰＵ１０２に出力する。オーディオ入出力回路１２６には、マイク１２８及びスピーカ１３０が接続され、各種の音声信号が入力されるとともに、キーボード１２０等からの操作入力に応じて各種動作音が再生出力される。通信インターフェイス部（通信Ｉ／Ｆ）１３２は、ネットワークＮＷとの通信を行う。カメラ接続インターフェイス部（カメラ接続Ｉ／Ｆ）１３４は、撮影装置（電子カメラ、デジタルカメラ）１との間でデータの送受信を行う。
【００８９】
本実施形態では、ＣＰＵ１０２は、例えば、電源投入時又は拡張画像ファイルＦ１００の参照時、拡張画像ファイルＦ１００の格納フォルダの参照、メモリカード７０が取り付けられた時、ハードディスク装置１０８内の画像ファイルの格納フォルダが更新された時等に上記図１の処理を実行する。これにより、本実施形態に係る画像記録装置１００においても、基本ファイルＦ１０を復元することができるので、常に改変前の代表画像データを他の画像処理装置に提供することができる。
【００９０】
なお、上記の各実施形態では、例えば、メモリカード７０又はハードディスク装置１０８等の画像記録手段の空き容量が少ない時に、当該画像記録手段へのデータの格納指示が入力された場合に、基本ファイルＦ１０を削除して空き容量を増加させ、その後、画像記録手段の空き容量が増加した場合に、基本ファイルＦ１０を自動的に復元するようにしてもよい。
【００９１】
また、本発明は、例えば、撮影装置やパーソナルコンピュータ、携帯情報端末、画像ストレージ装置のような画像記録装置に適用するプログラムとしても提供することが可能である。
【図面の簡単な説明】
【００９２】
【図１】基本ファイルＦ１０の復元処理を示すフローチャート
【図２】本発明の第１の実施形態に係る画像記録装置を備えた撮影装置の主要構成を示すブロック図
【図３】基本ファイルＦ１０のデータ構造を模式的に示す図
【図４】拡張画像ファイルＦ１００のデータ構造を模式的に示す図
【図５】メモリカード７０に基本ファイル及び拡張画像ファイルを格納する際のフォルダのツリー構造を模式的に示す図
【図６】拡張画像ファイルＦ１００のデータ構造の別の例を模式的に示す図
【図７】ファイル名変更処理規則（１）を説明するための図
【図８】ファイル名変更処理規則（２）を説明するための図
【図９】本発明の第２の実施形態に係る画像記録装置（ＰＣ）の主要構成を示すブロック図
【符号の説明】
【００９３】
１…撮影装置、１０…撮影部、１２…メインＣＰＵ、１４…操作部、１６…電源制御部、１８…バッテリ、２０…バス、２２…ＲＯＭ、２４…フラッシュＲＯＭ、２６…ＳＤＲＡＭ、２８…ＶＲＡＭ、３０…モニタ、３２…表示制御部、３４…２Ｄ／３Ｄモード切替フラグ、３６…フラッシュ発光部、３８…フラッシュ制御部、４０…撮影レンズ、４２…ズームレンズ、４４…フォーカスレンズ、４６…絞り、４２Ｃ…ズームレンズ制御部（Ｚレンズ制御部）、４４Ｃ…フォーカスレンズ制御部（Ｆレンズ制御部）、４６Ｃ…絞り制御部、４８…撮像素子、５０…タイミングジェネレータ（ＴＧ）、５２…アナログ信号処理部、５４…Ａ／Ｄ変換器、５６…画像入力コントローラ、５８…デジタル信号処理部、６０…ＡＦ検出部、６２…ＡＥ／ＡＷＢ検出部、６４…圧縮・伸張処理部、６６…画像ファイル生成部、６８…メディア制御部、７０…メモリカード、７２…外部接続インターフェイス部（外部接続Ｉ／Ｆ）
【図１】
2008186287.tif 000003
【図２】
2008186287.tif 000004
【図３】
2008186287.tif 000005
【図４】
2008186287.tif 000006
【図５】
2008186287.tif 000007
【図６】
2008186287.tif 000008
【図７】
2008186287.tif 000009
【図８】
2008186287.tif 000010
【図９】
2008186287.tif 000011